(57)【要約】      （修正有）【課題】開封が容易であり、粘着テープを貼付部位に容易に貼付することができる粘着テープ包装袋を提供する。【解決手段】粘着テープ包装袋１０は、支持体と、支持体の一方の面に設けられた粘着剤層とを有する粘着テープ１４を収容する粘着テープ包装袋１０であって、粘着テープの粘着剤層が剥離可能に付着される剥離シート１６からなる粘着テープ包装袋であり、開封を容易にする切欠き部６２と凸状部６４とからなる開封手段６０と、貼付の際にガイドとして機能する多数の突起部８０とを有するものである。【選択図】図１
0003180806.tif 000002
【実用新案登録請求の範囲】
【請求項１】
支持体と、前記支持体の一方の面に設けられた粘着剤層とを有する粘着テープを収容する粘着テープ包装袋であって、
前記粘着剤層に剥離可能に付着される剥離シートからなる第１部分及び第２部分を重ね合わせ、その周辺をシールして構成されており、
前記粘着テープは、前記粘着剤層が外側に向くように第１部分と第２部分とに折り曲げられた状態で、且つ、前記粘着テープの前記第１部分が前記剥離シートの前記第１部分に付着する状態で、当該粘着テープ包装袋に収容されており、
前記粘着テープの前記第１部分が、前記粘着テープの前記第２部分よりも大きく、該第２部分からはみ出すはみ出し部分を有しており、
前記はみ出し部分が、前記剥離シートの前記第１部分との間で仮止め部により仮止めされており、
前記剥離シートの前記第１部分と前記第２部分との間に、使用者が指で把持するための摘み代部が形成されており、
前記摘み代部が位置する前記剥離シートの前記第１部分と前記第２部分とには、開封を開始するための位置に、開封手段として切欠き部若しくは凸状部又はその両方が設けられている、粘着テープ包装袋。
【請求項２】
前記剥離シートの前記第１部分の前記摘み代部には多数の突起部が形成されている、請求項１に記載の粘着テープ包装袋。
【請求項３】
前記開封手段以外の箇所からの開封を抑制するため開封抑制手段が設けられている、請求項１又は２に記載の粘着テープ包装袋。
【考案の詳細な説明】
【技術分野】
【０００１】
本考案は、支持体に粘着剤層を有する粘着テープを包装する包装袋に関する。
【背景技術】
【０００２】
従来、種々の形態からなる粘着テープが知られ、ラベル、医療用、化粧用、装飾用、マスキング用、工業用、その他種々の用途に使用されている。医療用で使用される粘着テープとしては、パップ剤、プラスター剤、絆創膏、サージカルテープ、テープ剤等の貼付剤の形態で、通常皮膚、粘膜等に貼付されるものがある。
【０００３】
このような粘着テープは、通常、支持体と、その支持体の一方の面に設けられた粘着剤層とからなり、更に、粘着剤層に剥離シートが剥離可能に付着されている。粘着テープは製造された後、適度な大きさに裁断され、衛生的かつ物理的に保護するため個別に包装袋に入れられた状態で流通し、販売される場合がある。この場合に、使用の際は、包装袋を破り、粘着テープを取り出し、剥離シートを剥がして粘着剤層を露出させて、貼付部位に貼付する。
【０００４】
使用の際に時として問題となるのは、剥離シートの剥がしにくさである。すなわち、剥離シートは一般に薄くて柔軟であるため取扱いにくく、剥がすのに時間を要することがある。また、粘着テープを使用する際、剥離シート及び包装袋がゴミとして発生する。
【０００５】
そこで、従来においては、下記の特許文献１に記載されているような粘着テープ包装袋が提案されている。この包装袋は、粘着剤層が外側に向くように粘着テープを２つに折り曲げ、この二つ折りの粘着テープを間に挟むようにして剥離シートで覆い、剥離シートの周囲をシールしたものである。この構成においては、剥離シートが包装袋として機能するため、従来必要であった包装袋を省略することができる。
【０００６】
また、包装袋を開封すべく剥離シートの表側の部分を裏側の部分から引き離した際に、粘着剤層の半分のみが露出するようにするために、二つ折りにされた粘着テープの表側に位置する半分を剥離シートの裏側部分に仮止めする手段が設けられている。これにより、開封した際、粘着テープは二つ折りの状態で剥離シートの表側の部分にて保持され、粘着剤層の表側の半分は露出するため、貼付部位への貼付が容易となる。
【先行技術文献】
【特許文献】
【０００７】
【特許文献１】国際公開第２０１０／０７１１０４号
【考案の概要】
【考案が解決しようとする課題】
【０００８】
特許文献１に記載の粘着テープ包装袋は優れたものであるが、使用面での更なる改善が求められている。特に、開封のし易さや、粘着テープの貼付部位への貼付のし易さ等において改善が求められている。本考案の目的はかかる要請に応えることのできる粘着テープ包装袋を提供することにある。
【課題を解決するための手段】
【０００９】
上記目的を達成するために、本考案による粘着テープ包装袋は、
支持体と、前記支持体の一方の面に設けられた粘着剤層とを有する粘着テープを収容する粘着テープ包装袋であって、
前記粘着剤層に剥離可能に付着される剥離シートからなる第１部分及び第２部分を重ね合わせ、その周辺をシールして構成されており、
前記粘着テープは、前記粘着剤層が外側に向くように第１部分と第２部分とに折り曲げられた状態で、且つ、前記粘着テープの前記第１部分が前記剥離シートの前記第１部分に付着する状態で、当該粘着テープ包装袋に収容されており、
前記粘着テープの前記第１部分が、前記粘着テープの前記第２部分よりも大きく、該第２部分からはみ出すはみ出し部分を有しており、
前記はみ出し部分が、前記剥離シートの前記第１部分との間で仮止め部により仮止めされており、
前記剥離シートの前記第１部分と前記第２部分との間に、使用者が指で把持するための摘み代部が形成されており、
前記摘み代部が位置する前記剥離シートの前記第１部分と前記第２部分とには、開封を開始するための位置に、開封手段として切欠き部若しくは凸状部又はその両方が設けられている、
ことを特徴としている。
【００１０】
かかる構成においては、開封手段から開封を開始することで理想的な開封状態を得ることができる。
【００１１】
また、開封手段以外の箇所からの開封を抑制するため開封抑制手段を設けることが有効である。開封抑制手段としては、剥離シートの第１部分と第２部分とを前記摘み代部の位置で結合する複数の点結合部が考えられる。
【００１２】
更に、剥離シートの第１部分の摘み代部には多数の突起部を形成することが好ましい。使用者は、この突起部をガイドにして剥離シートを粘着テープから剥離する際に把持することができ、剥離方向も感覚的に認識することができる。また、この突起部が滑り止めの機能を有するため、粘着テープからの剥離シートの剥離をより一層容易とする。
【考案の効果】
【００１３】
上述したように、本考案によれば、開封手段により開封が容易化される。また、開封抑制手段により、想定していない開封状態となることが防止され、所期の方法で開封、貼付が行われることになる。また、多数の突起部により、貼付の際に使用者が把持する場所や剥離方向等を間違えることがなくなる。これにより、粘着テープが人体に貼付することができる貼付剤、すなわちプラスター剤、パップ剤や絆創膏、サージカルテープ、貼るタイプのカイロなどの場合、貼付部位が一人では貼付しにくい背中等であっても、手を汚さず片手で容易に、シワを発生させることなく、貼付することが可能となる。
【図面の簡単な説明】
【００１４】
【図１】本考案による粘着テープ包装袋の六面図であり、（ａ）は正面図、（ｂ）は背面図、（ｃ）は左側面図、（ｄ）は右側面図、（ｅ）は平面図、（ｆ）は底面図である。
【図２】図１の粘着テープ包装袋を示す正面側斜視図である。
【図３】図１の粘着テープ包装袋を示す背面側斜視図である。
【図４】図１の粘着テープ包装袋の簡単な作り方を示す斜視図である。
【図５】図１の（ａ）におけるＡ−Ａ線に沿っての概略断面図である。
【図６】図１の粘着テープ包装袋における剥離シート部に施された点結合部を示す部分正面図である。
【図７】（ａ）及び（ｂ）はそれぞれ仮止め部の他の形状を示す図である。
【図８】（ａ）〜（ｄ）は図１の粘着テープ包装袋を用いて粘着テープを人体の背中に貼付する場面を示す図である。
【図９】（ａ）〜（ｄ）は図１の粘着テープ包装袋を用いて粘着テープを人体の顔に貼付する場面を示す図である。
【考案を実施するための形態】
【００１５】
以下、図面を参照しながら本考案の好適な実施形態について説明する。なお、全図を通して同一又は相当部分には同一符号を付し、その重複した説明は省略する。
【００１６】
図１は、本考案による粘着テープ包装袋の六面図であり、図２は、図１の粘着テープ包装袋を示す正面側斜視図、図３は、図１の粘着テープ包装袋を示す背面側斜視図、図４は、図１の粘着テープ包装袋の簡単な作り方を示す斜視図、図５は、図１の（ａ）におけるＡ−Ａ線に沿っての概略断面図である。
【００１７】
図示の粘着テープ包装袋１０は、片方の面に粘着剤層１２を有する粘着テープ１４と、この粘着テープ１４を二つ折りにした状態で封ずる剥離シート１６とから構成されている。粘着テープ１４及び剥離シート１６は共に長方形である。図１及び図４の（ｃ）から理解されるように、粘着テープ包装袋１０はいわゆる三方シール包装型であり、１枚の剥離シート１６を折り曲げ、折り曲げた辺を除く３辺がシールされたものである。
【００１８】
なお、この粘着テープ包装袋１０は、ラベル、医療用、化粧用、装飾用、マスキング用、工業用、その他種々の用途に使用される。特に、医療用、化粧用等で使用される粘着テープ包装袋は、パップ剤、プラスター剤、絆創膏、サージカルテープ、化粧用パック剤、テープ剤、貼るタイプのカイロなど通常皮膚、粘膜等に貼付される貼付剤の包装袋として用いることが可能である。
【００１９】
図５に示すように、粘着テープ１４は、支持体１８と、その一方の面に積層された粘着剤層１２とを備えている。粘着テープ１４の支持体１８の構成材料は、粘着剤層１２を支持し得るものであればよく、通常、織布、不織布、プラスチック等からなるフィルム、金属箔等が用いられる。更に支持体は、単層構造でも積層構造であってもよく、例えば異なる材料からなる複数の織布又は不織布を積層した構造であってもよく、プラスチックフィルム、金属箔等と織布又は不織布を積層した構造であってもよい。
【００２０】
また、本実施形態の粘着テープ１４で用いる織布又は不織布は、特に限定はされず、繊維状の素材を布状に加工したものであって、粘着テープ１４の支持体１８に使用できるものであればよく、例えば編み目を丸編み、経て編み、緯（よこ）編み等により集合させて布状に加工した編布も含まれる。
【００２１】
織布又は不織布の好ましい例としては、ポリエステル系樹脂、ポリエチレン系樹脂及びポリプロピレン系樹脂からなる群より選ばれる樹脂繊維の少なくとも一種からなる織布又は不織布が挙げられ、中でも粘着剤層に含有される成分との相互作用が少ないポリエステル系のポリエチレンテレフタレートからなる織布が好ましい。
【００２２】
プラスチックフィルムとしては、例えば、ポリエチレンテレフタレートなどのポリエステル、ナイロンなどのポリアミド、ポリエチレン、ポリプロピレンなどのポリオレフィン、ポリ塩化ビニル、可塑化ポリ塩化ビニル、可塑化酢酸ビニル−塩化ビニル共重合体、ポリ塩化ビニリデン、エチレン−酢酸ビニル共重合体、酢酸セルロース、エチルセルロース、エチレン−アクリル酸エチル共重合体、ポリテトラフルオロエチレン、ポリウレタン、アイオノマー樹脂を用いて形成されたものが挙げられる。また、粘着テープ１４を医療用、化粧用の貼付剤として用いる場合は、支持体１８には、貼付剤としての十分な伸縮性又は非伸縮性を有する材料を用いることが好ましく、特に、ポリエチレンテレフタレートのメリヤス編みの織布（編み布）が好ましい。
【００２３】
支持体１８としての編み布は、その目付け（単位当たりの質量）が５０〜５００ｇ／ｍ２であることが好ましい。また、支持体１８は、ＪＩＳ  Ｌ１０１８の方法に従って測定した場合、縦方向（長軸方向）モジュラスが２〜１２Ｎ／５ｃｍ、横方向（短軸方向）モジュラスも２〜１２Ｎ／５ｃｍであることが好ましい。なお、ここでいう縦方向とは、編み布を製造する工程における流れ方向のことを指し、横方向とは、縦方向と直交する方向、すなわち幅方向のことを指す。縦方向又は横方向が２Ｎ／５ｃｍより低いモジュラスである場合、貼付部分にしわを伸ばしながら貼付することが困難な傾向がみられ、また、縦方向又は横方向が１２Ｎ／５ｃｍより高いモジュラスである場合は、逆に貼付の際に粘着テープが伸びすぎ、しわが生じやすくなる傾向がある。なお、モジュラスは室温（２５℃）、５０％伸長時の応力の値である。
【００２４】
上記の支持体１８を用いることにより、後述の仮止め部５０，５２，５４の形成が容易となり、また、仮止め部５０，５２，５４から取り外した後の支持体１８の形状、構造に殆ど変化がない。すなわち、例えば毛羽立ち等が生じない。また、粘着テープ包装袋１０内の二つ折りが容易で、かつ、嵩張らない。更に、貼付の際は二つ折りにしていた部分に、いわゆる“くせ”が付きにくく、きれいに貼ることができる。
【００２５】
粘着剤層１２の構成材料である粘着成分としては、粘着性を有し貼付部位に貼着することができれば特に限定はされないが、粘着基剤としてアクリル系粘着成分、ゴム系粘着成分、シリコン系粘着成分などが好ましく用いられ、中でも粘着物性の観点から、ゴム系粘着成分が特に好ましく用いられる。
【００２６】
具体的なゴム系粘着成分としては、天然ゴム、合成ゴムのいずれも使用することができ、合成ゴムとしては、例えば、スチレン系ブロックコポリマーやポリイソブチレンが挙げられる。更に、スチレン系ブロックコポリマーとしては、スチレン−ブチレン−スチレンブロックコポリマー（ＳＢＳ）、スチレン−イソプレン−スチレンブロックコポリマー（ＳＩＳ）、スチレン−エチレン／ブチレン−スチレンブロックコポリマー（ＳＥＢＳ）、スチレン−エチレン／プロピレン−スチレンブロックコポリマー（ＳＥＰＳ）が挙げられる。スチレン系ブロックコポリマーの具体例としては、クレイトンＤ−１１１２、Ｄ−１１１１、Ｄ−１１０７（商品名、クレイトンポリマー（株）製）、ＪＳＲ５０００又はＪＳＲ５００２（商品名、日本合成ゴム（株）製）、クインタック３５３０、３４２１又は３５７０Ｃ（商品名、日本ゼオン（株）製）、クレイトンＤ−ＫＸ４０１ＣＳ又はＤ−１１０７ＣＵ（商品名、クレイトンポリマー（株）製）等のリニアトリブロックコポリマーや、クレイトンＤ−１１２４（商品名、クレイトンポリマー（株）製）、ソルプレン４１８（商品名、フィリップペトロリアム（株）製）等の分岐ブロックコポリマー等が挙げられる。
【００２７】
ポリイソブチレンとしては、例えば高分子から低分子のものが用いられ、例えば、オパノールＢ１０、Ｂ１２、Ｂ１２ＳＦ、Ｂ１５、Ｂ１５ＳＦ、Ｂ３０ＳＦ、Ｂ５０、Ｂ５０ＳＦ、Ｂ８０、Ｂ１００、Ｂ１２０、Ｂ１５０、Ｂ２００（商品名、ＢＡＳＦ（株）製）、ビスタネックスＬＭ−ＭＳ、ＬＭ−ＭＨ、ＬＭ−Ｈ、ＭＭ  Ｌ−８０、ＭＭ  Ｌ−１００、ＭＭ  Ｌ−１２０、ＭＭ  Ｌ−１４０（商品名、エクソン化学（株）製）等が挙げられる。
【００２８】
また、アクリル系高分子としては、モノマー単位として、例えば、アクリル酸−２−エチルヘキシル、アクリル酸メチル、アクリル酸ブチル、アクリル酸ヒドロキシエチル、メタクリル酸−２−エチルヘキシル等に代表される（メタ）アクリル酸エステルを少なくとも一種含有する重合体又は共重合体等が用いられ、例えば、アクリル酸・アクリル酸オクチルエステル共重合体、アクリル酸−２−エチルヘキシル・Ｎ−ビニル−２−ピロリドン・ジメタクリル酸−１，６−ヘキサングリコール共重合体、アクリル酸−２−エチルヘキシル・酢酸ビニル共重合体、アクリル酸−２−エチルヘキシル・酢酸ビニル・アクリル酸共重合体、アクリル酸−２−エチルヘキシル・メタクリル酸−２−エチルヘキシル・メタクリル酸ドデシル共重合体、アクリル酸メチル・アクリル酸−２−エチルヘキシル共重合樹脂エマルジョン、アクリル樹脂アルカノールアミン液に含有するアクリル系高分子等の粘着剤、Ｄｕｒｏ−Ｔａｋアクリル粘着剤シリーズ（ヘンケル社製）、ＧＥＬＶＡアクリル粘着剤シリーズ（モンサント社製）、ＳＫダインマトリダーム（綜研化学）、オイドラギットシリーズ（樋口商会）等が使用できる。
【００２９】
上記ゴム系、アクリル系、シリコン系などの粘着基剤は、一種又は二種以上を混合して用いることも可能である。
【００３０】
更に、粘着テープ１４を医療用のパップ剤、プラスター剤、化粧用のパック剤として用いる場合には、粘着剤層１２として水溶性高分子も用いることができ、このような水溶性高分子としては、ゼラチン、寒天、アルギン酸、マンナン、カルボキシメチルセルロース又はその塩、ヒドロキシプロピルセルロース又はその塩、ポリビニルアルコール、ポリアクリル酸又はその塩等、あるいは、これらのうちの少なくとも一種を有機又は無機の架橋剤により架橋したものが好ましく用いられる。
【００３１】
上記の粘着基剤の他、粘着剤層１２には適宜、粘着付与剤、軟化剤、溶解剤、水、増粘剤、湿潤剤、充填剤、架橋剤、重合剤、溶解補助剤、吸収促進剤、安定化剤、抗酸化剤、乳化剤、界面活性剤、ｐＨ調整剤、薬物、紫外線吸収剤等が添加される。
【００３２】
粘着テープ１４を医療用、化粧用の貼付剤として用いる場合の薬物としては、経皮的に体内に吸収されて薬理効果を発揮するものであれば特に限定されることはなく、例えば、抗炎症剤、鎮痛剤、抗ヒスタミン剤、局所麻酔剤、血行促進剤、麻酔剤、精神安定剤、抗高血圧剤、抗菌剤、血管拡張剤等が挙げられる。
【００３３】
剥離シート１６は、粘着テープ１４の包装袋として一般的に使用されているものであれば用いることができる。また、剥離シート１６は、単層又は積層のいずれでもよく、また、構成する材料も、最内層（包装袋の内側となる層）が本考案の製造方法、特にヒートシールや熱的な仮止めが可能であれば、特に限定されない。例えば、剥離シート１６の基材としては、紙、不織布、アルミニウム、セロハン、ナイロン、高密度又は低密度のポリエチレン、ポリエチレンテレフタレート、ポリプロピレン、ポリ塩化ビニル、ポリアミド、ポリ塩化ビニリデン、ポリビニルアルコール、ポリ酢酸ビニル共重合体、ポリカーボネート、ポリスチレン、エチレンビニルアルコール共重合体等から適宜選択することが可能であり、このうち加熱により溶融することができない材料が基材とされる場合には、包装袋の内側となる層として熱可塑性材料が積層されたものが好適である。特に、ポリエチレン、アルミニウム、ポリエチレンを順次積層したシートが好ましく、更にまた最外層（包装袋の外側になる層）にセロハンを積層したものが好ましく用いられる。
【００３４】
更に最外層に印刷インキ若しくは接着剤などを塗布したもの、又は蒸着若しくはスパッタリングなどの方法で薄膜を設けたものであってもよい。薄膜としては、アルミニウムなどの金属の他、酸化ケイ素、酸化マグネシウム、酸化アルミニウムなどのガスバリヤ性と透明性の高い薄膜が好適である。
【００３５】
これらの剥離シート１６は、粘着テープ１４を封入する際に折り曲げるため、柔軟性を有するものが好ましい。従って、剥離シート１６の厚みとしては、折り曲げることができれば特に限定はされないが１０〜５００μｍの範囲であることが好ましく、１５〜３００μｍの範囲であれば更に好ましい。
【００３６】
ここで図４の（ａ）を参照すると、剥離シート１６上に、粘着テープ１４が粘着剤層１２を下にして、剥離可能に付着されている状態が示されているが、この状態では、粘着テープ１４の、その短手方向と平行な中心線と、剥離シート１６の、その短手方向と平行な中心線とが、ずれた状態となるように両者が付着されている。そして、剥離シート１６を粘着テープ１４と共に折り曲げると、図４の（ｂ）に示すように、粘着テープ１４は二つ折りされた状態で、二つ折りされた剥離シート１６の間に挟まれた状態となる。
【００３７】
今、折り曲げられた剥離シート１６の半分を第１部分２２、残りの半分を第２部分２４と称し、剥離シート１６と共に折り曲げられた粘着テープ１４の半分を第１部分２６、残りの半分を第２部分２８と称することとする。剥離シート１６を折り曲げた状態では、剥離シート１６の第１部分２２と第２部分２４は、概ね同形かつ同寸法となるが、粘着テープ１４の第１部分２６は第２部分２８よりも大きく、第１部分２６は、第２部分２８からはみ出すはみ出し部分３０を有する状態となる。この状態で、剥離シート１６の第１部分２２と第２部分２４との重ね合わされた部分のうち、粘着テープ１４を囲む３辺をヒートシールすることで、図１〜図３、図４の（ｃ）及び図５に示す粘着テープ包装袋１０となる。
【００３８】
このような粘着テープ包装袋１０において、剥離シート１６の第１部分２２を第２部分２４から引き離して開封すると、二つ折りされた粘着テープ１４の粘着剤層１２は外側に向いているため、粘着テープ１４の第１部分２６の粘着剤層１２は外部に露出することになる。
【００３９】
しかし、粘着テープ１４の第１部分２６が剥離シート１６の第１部分２２と一緒に移動し、粘着テープ１４の第２部分２８の粘着剤層１２が露出したのでは、表裏どちらの側で粘着剤層１２が露出するのか分からず、不便である。すなわち、開封時には粘着テープ１４の第１部分２６を剥離シート１６の第２部分２４に一次的に保持させ、粘着テープ１４の第１部分２６の粘着剤層１２を露出させることが重要である。そこで、粘着テープ１４の第１部分２６に形成されたはみ出し部分３０は、符号５０，５２，５４で示す箇所で、剥離シート１６の第２部分２４に仮止めされる。
【００４０】
仮止めの手段としては、熱接合が有効である。すなわち、剥離シート１６の外面側から熱を加えると、剥離シート１６の最内層を構成する熱可塑性材料が溶融し、粘着テープ１４の支持体１８上に付着し、それがやがて固化するので、粘着テープ１４のはみ出し部分３０が剥離シート１６の第２部分２４に対して仮止めされることになる。特に、粘着テープ１４の支持体１８が織布又は編布からなる場合は、溶融した熱可塑性材料が浸透し、より仮止め効果が向上する。
【００４１】
また、仮止め部５０，５２，５４を配置する位置であるが、図１の（ａ）示すように、第１のシール部３８に沿う線上だけではなく、第２のシール部４０及び第３のシール部４２に沿う線上にも仮止め部５２，５４を形成することが好適である。これにより、剥離シート１６の第１部分２２と第２部分２４とを横方向から引き離した場合でも、仮止めの効果を担保することができる。
【００４２】
ところで、この仮止め部５０，５２，５４により付着力が過度に大きすぎると、貼付部位への貼付の際に剥離シート１６から粘着テープ１４が離れにくくなるという不具合が生じるおそれがある。そこで、剥離シート１６に対する粘着テープ１４のはみ出し部分３０の付着力は、剥離シート１６に対する粘着剤層１２の付着力（粘着力）よりも高くなるようにすることが好ましい。すなわち、仮止め部５０，５２，５４を介しての、剥離シート１６に対する支持体１８の付着力、貼付部位に対する粘着テープ１４の粘着剤層１２の付着力（粘着力）、及び、剥離シート１６に対する粘着テープ１４の粘着剤層１２の付着力は、以下のような関係になる。
【００４３】
貼付部位に対する粘着剤層１２の付着力
＞仮止め部５０，５２，５４を介しての、剥離シート１６に対する支持体１８の付着力
＞剥離シート１６に対する粘着剤層１２の付着力
なお、仮止め部５０，５２，５４を連続した帯状とした場合には、剥離シート１６における熱可塑性材料の、粘着テープ１４の支持体１８の織布への含浸量が多くなり過ぎることが考えられ、上記関係を得ることが困難となることが考えられる。そこで、本考案では、図１及び図２において符号５０，５２，５４で示すように、仮止め部５０，５２，５４を不連続に形成し、仮止め部５０，５２，５４の数やその大きさを調整することで、仮止め部５０，５２，５４の付着力を容易に調整できるようにしている。例えば、各仮止め部５０，５２，５４の幅（短手方向の長さ）は２〜３ｍｍが好ましく、より好ましくは２ｍｍである。また、仮止め部５０，５２，５４間のピッチは４〜６ｍｍが好ましく、より好ましくは６ｍｍである。このような寸法とすることで、開封時には粘着テープ１４が剥離シート１６にしっかりと付いていながら、貼付部位（例えば皮膚）に貼って剥がす際には抵抗なく剥がすことが可能となる。
【００４４】
更に、剥離シート１６は、粘着テープ１４の粘着剤層１２と剥離シート１６との付着力を抑制する付着力抑制手段５５を有することが好ましい。この付着力抑制手段５５としては、剥離シート１６の最内層に剥離処理を施したものが考えられる。剥離処理として、剥離剤を用いる方法の他、エンボス加工、サンドマット加工等の物理的に剥離を行ないやすくする方法も含まれる。剥離剤としては、シリコン系剥離剤、アルキルペンダント系剥離剤、縮合ワックス系剥離剤等のいずれも用いることができ、この中でもシリコン系剥離剤を用いたいわゆるシリコン処理が好ましい。シリコン処理は、比較的容易かつ安価に行うことができるという利点があるからである。シリコン処理を施すことにより、粘着テープ包装袋１０の使用に際して剥離シート１６を開いたときに、前記の仮止め部５０，５２，５４と協働して、簡単に粘着剤層１２が剥離シート１６から離れて粘着剤層１２が露出することになり、貼付部位への貼付が更に容易となる。なお、上述したように付着力抑制手段５５は粘着テープ１４の粘着剤層１２の全体に対して設けてもよいが、粘着テープ１４の第１部分２６の粘着剤層１２のみをカバーする形で設けられるようにしてもよい。
【００４５】
また、本実施形態に係る粘着テープ包装袋１０は、開封を容易にするために、剥離シート１６の第１部分２２と第２部分２４との間に形成された摘み代部４４（第１の辺縁２０と第１のシール部３８との間の未接合部分）の開封開始箇所に開封手段６０が形成されている。開封開始箇所は摘み代部４４の一方の端部であり、図１の（ａ）においては右上の端部となる。図示実施形態において、開封手段６０は、剥離シート１６の第２部分２４に設けられた切欠き部６２から構成されている。この切欠き部６２により形成される段差によって、使用者は剥離シート１６の第１部分２２の角部のみを摘むことが可能となり、その部分を拠り所にして開封作業を開始することが可能となる。この箇所から開封を開始した場合、力は、横のシール部４０と縦のシール部３８との角部４６に集中し、シール部３８，４０の破断が容易に開始されることになる。
【００４６】
なお、図１及び図２に示すように、切欠き部６２に対向する剥離シート１６の第１部分２２の箇所に凸状部６４を形成し、第１部分２２をより一層摘み易くすることが好適である。
【００４７】
また、この開封手段６０とは別の箇所からの開封は、余計な力がかかる等、本実施形態に係る粘着テープ包装袋１０が想定する理想的な開封状態とならない可能性があるため、本実施形態では、剥離シート１６の辺縁２０に沿う位置に、開封抑制手段として、剥離シート１６の第１部分２２と第２部分２４とを結合する複数個の点結合部７０が形成されている。この点結合部７０は熱接合や接着剤により形成される。また、開封手段６０からの開封を妨げるためのものではないため、各点結合部７０は小さく、また、点結合部７０間のピッチを広めに設定することが好ましい。
【００４８】
なお、点結合部７０は、図６に示すような形状とすることで、矢印方向に力をかけた際には点結合部７０は容易に破断するが、矢印方向とは反対の方向に力をかけた際には破断しにくくなり、これによっても開封手段６０とは反対側の端部からの開封を防止することができる。
【００４９】
更に、剥離シート１６の第１部分２２であって、摘み代部４４の位置には、表側に突出する多数の突起部８０が形成されている。これらの突起部８０はエンボス加工等により形成されることが好適である。突起部８０は、以下で説明するが、粘着テープ１４を皮膚等の貼付部位に貼付する際に剥離シート１６を把持すべき箇所を示すガイドとして機能すると共に、滑り止めの機能も有するものである。したがって、突起部８０の先端は可能な範囲で鋭いことが好ましく、また、一つ一つを小さくして密集させて配置することが好ましい。更にまた、目の不自由な人のために、突起部８０を点字となるように配置してもよい。
【００５０】
次に、図７及び図８を参照して本実施形態に係る粘着テープ包装袋１０の使用方法について説明する。
【００５１】
図７の（ａ）は、本実施形態についての粘着テープ包装袋１０の斜視図を示している。この状態から使用者は、まず、開封手段６０の切欠き部６２を通して剥離シート１６の第１部分２２の角部（凸状部６４が形成されている場合は凸状部６４）を把持すると共に、切欠き部６２に沿う第２部分２４の角部を把持し、矢印Ｂの方向に剥離シート１６の第１部分２２と第２部分２４とを引き離し始める。この際、点結合部７０の存在により、他の箇所からの開封は抑制される。このようにして粘着テープ包装袋１０が開封を開始すると、力は、横のシール部３８と縦のシール部４０との角部４６に集中し、シール部３８，４０の破断が容易に開始されることになる。シール部３８，４０において破断が一度始まると、更に大きな力を加えなくとも、この破断開始点を起点として他の部分に破断が伝播していき、シール部３８，４０，４２全体が破断し、粘着テープ包装袋１０は図７の（ｂ）の状態となる。前述したように、仮止め部５０，５２，５４の存在により、粘着テープ１４の第１部分２６は剥離シート１６の第２部分２４側に一次的に保持されるため、粘着テープ１４の第１部分２６の粘着剤層１２が露出することになる。
【００５２】
図８の（ａ）〜（ｄ）は、一例として、本考案の粘着テープが特に医療用などの貼付剤として背中に用いられる場合の態様を示している。まず、開封した粘着テープ包装袋１０を、図８の（ａ）及び（ｂ）に示すように貼付部位に当てる。これにより粘着テープ１４の粘着剤層１２が貼付部位に付着するが、この時点では剥離シート１６は粘着テープ１４に付着した状態で貼付部位上にある。次に、剥離シート１６の第１部分２２を持ち、図８の（ｃ）に示すように、剥離シート１６をその長手方向かつ粘着テープ１４から遠ざかる向きに、皮膚に沿うように引っ張る。この作業においては、使用者は、剥離シート１６の第１部分２２に形成された多数の突起部８０をガイドとしてそこを把持し、剥離シート１６を引っ張ればよい。すなわち、使用者が剥離シート１６の剥離方向を間違えることがなくなる。また、多数の突起部８０は滑り止めとしても機能するため、剥離シート１６を確実に把持して粘着テープ１４から引き離すことが可能となる。剥離シート１６が引っ張られると、粘着テープ１４の第２部分２８が剥離シート１６から剥がれると同時に貼付部位に貼付される。特に剥離シート１６を引っ張りながら貼付するため、粘着テープ１４にしわがよらずに、これを貼付することができる。図８の（ｄ）は粘着テープ１４の全体を貼付部位に貼付し終えた様子を示す。
【００５３】
図９の（ａ）〜（ｄ）は、本考案の粘着テープが化粧用パックとして顔に用いられる場合の態様を示しているが、この図から図８に示す手順と同様にして容易に化粧パックを貼付できることが理解されるであろう。
【００５４】
以上、本考案の好適な実施形態について詳細に説明したが、本考案は上記の実施形態に限定されない。
【００５５】
例えば、突起部や点結合部の形状や配置については図示のものに限られず、適宜変更可能である。
【００５６】
また、上記実施形態では開封手段として切欠き部と凸状部との組み合わせを示したが、開封手段は、切欠き部がなく凸状部だけの形態や、凸状部がなく切欠き部だけの形態でもよい。
【００５７】
更に、上記実施形態では、開封抑制手段として複数の点結合部を直線状に配列したものを示したが、開封抑制手段は連続した結合ライン等、種々の手段が考えられる。
【符号の説明】
【００５８】
１０…粘着テープ包装袋、１２…粘着剤層、１４…粘着テープ、１６…剥離シート、１８…支持体、３８，４０，４２…シール部、４４…摘み代部、５０，５２，５４…仮止め部、５５…付着力抑制手段、６０…開封手段、６２…切欠き部、６４…凸状部、７０…点結合部、８０…突起部。
【図１】
0003180806.tif 000003
【図２】
0003180806.tif 000004
【図３】
0003180806.tif 000005
【図４】
0003180806.tif 000006
【図５】
0003180806.tif 000007
【図６】
0003180806.tif 000008
【図７】
0003180806.tif 000009
【図８】
0003180806.tif 000010
【図９】
0003180806.tif 000011